(57)【要約】【課題】読取画像を安定させると共に、搬送安定を安定させ、しかも製作コスト、組付けコストを軽減することが可能である。【解決手段】読取ガラス２５０の読取面上を搬送される原稿を読み取る読取部２０３と、読取ガラス２５０上に原稿を案内する上流側ガイド部材２５３と、読取ガラス２５０上から原稿を排紙部に案内する下流側ガイド部材２５４とを有し、上流側ガイド部材２５３は、原稿を搬送する読取前ローラ２５２と読取ガラス２５０との間に配置され、下流側ガイド部材２５４は、原稿を搬送する読取後ローラ２５５と読取ガラス２５０との間に配置される原稿搬送装置において、下流側ガイド部材２５４を、読取ガラス２５０と読取後ローラ２５５との間に渡って延びるように配置している。【選択図】図４
2004210452.tif 000002
【特許請求の範囲】
【請求項１】
読取ガラスの読取面上を搬送される原稿を読み取る読取部と、前記読取ガラス上に前記原稿を案内する上流側ガイド部材と、前記読取ガラス上から前記原稿を排紙部に案内する下流側ガイド部材とを有し、
前記上流側ガイド部材は、原稿を搬送する読取前ローラと前記読取ガラスとの間に配置され、前記下流側ガイド部材は、原稿を搬送する読取後ローラと前記読取ガラスとの間に配置される原稿搬送装置において、
前記下流側ガイド部材を、前記読取ガラスと前記読取後ローラとの間に渡って延びるように配置したことを特徴とする原稿搬送装置。
【請求項２】
前記下流側ガイド部材の上流側端部を、前記読取ガラスの下流側端部に突き当てて組み付けたことを特徴とする請求項１に記載の原稿搬送装置。
【請求項３】
前記下流側ガイド部材の上流側端部と、前記読取ガラスの下流側端部とは、前記読取ガラスの読取面上を搬送される原稿の先端が前記下流側ガイド部材のガイド面に当接して案内されるように段差を有することを特徴とする請求項１または請求項２に記載の原稿搬送装置。
【請求項４】
前記請求項１乃至請求項３のいずれか１項に記載の原稿搬送装置を備えてなることを特徴とする画像形成装置。
【発明の詳細な説明】
【０００１】
【発明の属する技術分野】
この発明は、電子写真複写機、プリンタ、ファクシミリ、これらの複数の機能を有する複合機や印刷機等の画像形成装置により画像を形成するために、原稿を搬送して画像読み込みを可能とする原稿搬送装置及び画像形成装置に関するものである。
【０００２】
【従来の技術】
このようなデジタル式の画像形成装置に備えられる原稿搬送装置では、図５に示すように、読取ガラス１００の読取面上を搬送される原稿を読み取る読取部１０１と、読取ガラス１００上に原稿を案内する上流側ガイド部材１０２と、読取ガラス１００上から原稿を排紙部１０３に案内する下流側ガイド部材１０４とを有し、給紙皿上に積載された原稿を１枚ずつ分離して搬送し、原稿を読取部１０１で読取可能なものがある（例えば特許文献１）。
【０００３】
この読取ガラス１００は水平で、その下流側には、排紙部１０３へ原稿を搬送するために、搬送方向を斜め上向きに変えるためにジャンプ台１０５が配置されている。
【０００４】
【特許文献１】
特開２００２−２３２６４１号公報（第１〜第１０頁、図１〜図１０）
【０００５】
【発明が解決しようとする課題】
このような原稿搬送装置では、上流側ガイド部材１０２によって案内される原稿が、その先端を読取ガラス１００に当接してから原稿を搬送しながら画像読み込みを行ない、その後原稿の先端がジャンプ台１０５に当接して搬送方向を斜め上向きに搬送され、さらに下流側ガイド部材１０４に当接するために、読取後に搬送衝撃が発生する。この搬送衝撃が画像揺らぎや搬送を不安定にする一原因となっている。
【０００６】
また、搬送方向を斜め上向きに変えるためにジャンプ台１０５が必要な分、製作コストが嵩むと共に、組付けコストが嵩む等の原因となっている。
【０００７】
この発明は、かかる点に鑑みなされたもので、請求項１乃至請求項３に記載の発明は、読取画像を安定させると共に、搬送安定を安定させ、しかも製作コスト、組付けコストを軽減することが可能な原稿搬送装置を提供することを目的とし、請求項４に記載の発明は、読取画像や搬送が安定し、かつ低コストである原稿搬送装置を備える画像形成装置を提供することを目的とするものである。
【０００８】
【課題を解決するための手段】
前記課題を解決し、かつ目的を達成するために、この発明は、以下のように構成した。
【０００９】
請求項１に記載の発明は、読取ガラスの読取面上を搬送される原稿を読み取る読取部と、前記読取ガラス上に前記原稿を案内する上流側ガイド部材と、前記読取ガラス上から前記原稿を排紙部に案内する下流側ガイド部材とを有し、
前記上流側ガイド部材は、原稿を搬送する読取前ローラと前記読取ガラスとの間に配置され、前記下流側ガイド部材は、原稿を搬送する読取後ローラと前記読取ガラスとの間に配置される原稿搬送装置において、
前記下流側ガイド部材を、前記読取ガラスと前記読取後ローラとの間に渡って延びるように配置したことを特徴とする原稿搬送装置である。
【００１０】
この請求項１に記載の発明によれば、下流側ガイド部材を、読取ガラスと読取後ローラとの間に渡って延びるように配置したことで、読取後の搬送衝撃負荷を軽減でき、搬送ムラによる画像揺らぎもなくなる。また、下流側ガイド部材と搬送方向を変えるための部材が一体になり、部品点数が削減でき、製作コスト、組付けコストを下げることができる。
【００１１】
請求項２に記載の発明は、前記下流側ガイド部材の上流側端部を、前記読取ガラスの下流側端部に突き当てて組み付けたことを特徴とする請求項１に記載の原稿搬送装置である。
【００１２】
この請求項２に記載の発明によれば、下流側ガイド部材の上流側端部を、読取ガラスの下流側端部に突き当てて、下流側ガイド部材を簡単かつ確実に組み付けることができる。
【００１３】
請求項３に記載の発明は、前記下流側ガイド部材の上流側端部と、前記読取ガラスの下流側端部とは、前記読取ガラスの読取面上を搬送される原稿の先端が前記下流側ガイド部材のガイド面に当接して案内されるように段差を有することを特徴とする請求項１または請求項２に記載の原稿搬送装置である。
【００１４】
この請求項３に記載の発明によれば、読取ガラスの読取面上を搬送される原稿の先端が下流側ガイド部材のガイド面に当接して案内されるように段差を設けることで、下流側ガイド部材への原稿の受け渡しが滑らかで安定した搬送が可能で、読取後の搬送衝撃負荷を軽減でき、搬送ムラによる画像揺らぎもなくなる。
【００１５】
請求項４に記載の発明は、前記請求項１乃至請求項３のいずれか１項に記載の原稿搬送装置を備えてなることを特徴とする画像形成装置である。
【００１６】
この請求項４に記載の発明によれば、請求項１乃至請求項３のいずれか１項に記載の原稿搬送装置を備えることで、読取後の搬送衝撃負荷を軽減でき、搬送ムラによる画像揺らぎもなくなる。また、搬送方向を変えるための部材が不要となり、その分部品点数が削減でき、製作コスト、組付けコストを下げることができる。
【００１７】
【発明の実施の形態】
次に、この発明の原稿搬送装置を備えた画像形成装置の実施の形態を図面に基づいて説明するが、この発明は、この実施の形態に限定されない。
【００１８】
図１は用紙後処理装置ＦＳと原稿搬送装置ＤＦと画像読み取り装置（スキャナ）ＳＣとを装備した画像形成装置１の全体構成図である。
【００１９】
図示の画像形成装置本体１Ａは、画像処理部２、画像書き込み部３、画像形成部４、高圧電源部５、カセット給紙部６、定着装置７、排紙部８、自動両面コピーのための再搬送手段（ＡＤＵ）９を備えている。
【００２０】
画像形成装置本体１Ａの上部には、画像読み取り装置ＳＣと原稿搬送装置ＤＦが搭載されている。画像形成装置本体１Ａの図示の左上部の排紙部８側には、用紙後処理装置ＦＳが連結されている。
【００２１】
原稿搬送装置ＤＦの原稿台上に第１面を上向きにして載置された原稿ｄは、矢印方向に搬送され画像読み取り装置ＳＣの光学系により原稿の片面又は両面の画像が読みとられ、ＣＣＤイメージセンサＣ１に読み込まれる。
【００２２】
ＣＣＤイメージセンサＣ１により光電変換されたアナログ信号は、画像処理部２において、アナログ処理、Ａ／Ｄ変換、シェーディング補正、画像圧縮処理等を行った後、画像書き込み部３に信号を送る。
【００２３】
画像書き込み部３においては、半導体レーザからの出力光が画像形成部４の感光体ドラム４Ａに照射され、潜像を形成する。画像形成部４においては、帯電、露光、現像、転写、分離、クリーニング等の処理が行われ、カセット給紙部６から搬送された用紙Ｓに画像が転写される。画像を担持した用紙Ｓは、定着装置７により定着され、排紙部８から用紙後処理装置ＦＳに送り込まれる。或いは排紙路切替板８Ａにより再搬送手段９に送り込まれた片面画像処理済みの用紙Ｓは、再び画像形成部４において両面画像処理された後、排紙部８の排紙ローラ８Ｂにより用紙後処理装置ＦＳに送り込まれる。
【００２４】
用紙後処理装置ＦＳは、画像形成装置本体１Ａの左上部に着脱可能に装着される。用紙後処理装置ＦＳは、用紙搬送手段１０、排紙手段２０、後処理手段３０、昇降排紙手段４０からなり、これらは用紙後処理装置本体４５に配置される。
【００２５】
図１において、画像形成装置本体１Ａ内の右寄り側には、画像形成部４を中心にして、画像形成装置本体１Ａの高さ方向下方にカセット給紙部６が、上方に定着装置７、排紙部８が設けられている。この垂直配列構成により、ほぼ垂直方向の用紙搬送路▲１▼が形成される。カセット給紙部６から送り出された用紙Ｓは、この垂直上方の用紙搬送路▲１▼に沿って搬送されて画像形成装置本体１Ａ外に排出される。
【００２６】
この垂直方向用紙搬送路▲１▼にほぼ平行して、再搬送手段９による用紙搬送路▲２▼が形成されている。
【００２７】
上記の垂直方向の用紙搬送路▲１▼、▲２▼を形成することにより、カセット給紙部６から排紙部８に至る最短距離の用紙搬送路が構成される。
【００２８】
画像形成装置本体１Ａの図示の上方の空間部に用紙後処理装置ＦＳの用紙搬送手段１０が収容される。用紙搬送手段１０の用紙入口部１１は、画像形成装置本体１Ａの排紙部８の排紙ローラ８Ｂに接続する。また、この装着状態では、画像形成装置本体１Ａの図示の左上方の空間部に、用紙後処理装置ＦＳの排紙手段２０及び後処理手段３０が収容される。複数の排紙皿（ビンとも称す）４１と昇降駆動手段４２から成る昇降排紙手段４０は、後処理手段３０の図示左側に位置する。
【００２９】
次に、図２乃至図４に基づいて原稿搬送装置を説明する。図２は原稿搬送装置の断面図、図３は読取部の拡大図、図４は読取ガラスと下流側ガイド部材との配置を示す図である。
【００３０】
原稿搬送装置ＤＦには、原稿給紙部２００の給紙皿２０１上に原稿ｄが積載され、この原稿ｄは、その先端部が位置決め板２２０に当接している。この原稿ｄの先端部は、昇降板２２１が上昇すると、送出ローラ２２２に当接して、原稿ｄを搬送するための搬送力が発生する。この昇降板２２１が上昇したタイミングで、送出ローラ２２２の回転により送り出し、分離ローラ２２３と重送防止ローラ２２４とで１枚ずつ分離し、レジスト機構２０２で原稿を揃え、原稿の片面を読み取る場合には読取部２０３へ搬送し、原稿の両面を読み取る場合には、反転部２０７でまず原稿を反転して読取部２０３へ搬送する。
【００３１】
読取部２０３には、読取ガラス２５０と読取ローラ２５１とが配置され、読取ガラス２５０の読取面上を搬送される原稿を読み取り、排紙部２０４へ送る。読取ガラス２５０の上流側には、原稿を送る読取前ローラ２５２と原稿を案内する上流側ガイド部材２５３が配置されている。読取ガラス２５０の下流側には、読取ガラス２５０上から原稿を排紙部２０４へ案内する下流側ガイド部材２５４と原稿を送る読取後ローラ２５５とが配置されている。
【００３２】
反転部２０７には、反転駆動ローラ２６０と、フリーローラ２６１と、反転切替ガイド２６２が配置されている。反転駆動ローラ２６０の正転と反転とで原稿を反転して搬送する。排紙部２０４には、排紙駆動ローラ２７０と、排紙ガイド２７１とが配置されている。
【００３３】
原稿の片面を読み取る場合には、切換ゲート２０６ａ，２０６ｃで原稿を読取前ローラ２５２、上流側ガイド部材２５３を介して読取部２０３へ送り、この読取部２０３で読み取り、下流側ガイド部材２５４、読取後ローラ２５５を介して排紙部２０４から排紙皿２０５に排紙する。
【００３４】
原稿の両面を読み取る場合には、切替ゲート２０６ａ，２０６ｂで原稿を反転部２０７へ送り、反転駆動ローラ２６０の正転から反転することで原稿を反転し、切替ゲート２０６ｂ，２０６ｃの切替で原稿の片面を読取部２０３で読み取り、反転切替ガイド２６２の切替で原稿を再度反転部２０７へ送る。この反転部２０７では、反転駆動ローラ２６０の正転から反転することで原稿を反転し、原稿の他方の片面を読取部２０３へ送り、読取部２０３で読み取り排紙部２０４から排紙皿２０５に排紙する。
【００３５】
この実施の形態では、図４に示すように、上流側ガイド部材２５３は、原稿を搬送する読取前ローラ２５２と読取ガラス２５０との間に配置され、下流側ガイド部材２５４は、原稿を搬送する読取後ローラ２５５と読取ガラス２５０との間に配置されている。
【００３６】
この下流側ガイド部材２５４は、読取ガラス２５０と読取後ローラ２５５との間に渡って延びるように配置されている。この下流側ガイド部材２５４の上流側端部２５４ａは読取ガラス２５０の下流側端部２５０ａに突き当てて原稿搬送装置に組み付けられている。この下流側ガイド部材２５４の上流側端部２５４ａを、読取ガラス２５０の下流側端部２５０ａに突き当てることで、下流側ガイド部材２５４を簡単かつ確実に組み付けることができる。
【００３７】
また、下流側ガイド部材２５４の上流側端部２５４ａと、読取ガラス２５０の下流側端部２５０ａとは、読取ガラス２５０の読取面２５０ｂ上を搬送される原稿の先端が下流側ガイド部材２５４のガイド面２５４ｂに当接して案内されるように段差ｈを有する。
【００３８】
この実施の形態では、下流側ガイド部材２５４の上流側端部２５４ａを読取ガラス２５０の下流側端部２５０ａより低くして段差ｈが設けられ、この段差ｈを設けることで、下流側ガイド部材２５４への原稿の受け渡しが滑らかで安定した搬送が可能である。
【００３９】
このように、下流側ガイド部材２５４を、読取ガラス２５０と読取後ローラ２５５との間に渡って延びるように配置することで、読取後の搬送衝撃負荷を軽減でき、搬送ムラによる画像揺らぎもなくなる。また、下流側ガイド部材２５４と搬送方向を変えるための部材が一体になり、部品点数が削減でき、製作コスト、組付けコストを下げることができる。
【００４０】
なお、本発明の実施の形態では、複写機に接続した原稿搬送装置を示したが、プリンタ、ファクシミリ等の画像形成装置や、これらの複数の機能を有する複合機及び軽印刷機等と接続して使用する原稿搬送装置にも適用可能である。
【００４１】
【発明の効果】
前記したように、請求項１に記載の発明では、下流側ガイド部材を、読取ガラスと読取後ローラとの間に渡って延びるように配置したことで、読取後の搬送衝撃負荷を軽減でき、搬送ムラによる画像揺らぎもなくなる。また、下流側ガイド部材と搬送方向を変えるための部材が一体になり、部品点数が削減でき、製作コスト、組付けコストを下げることができる。
【００４２】
請求項２に記載の発明では、下流側ガイド部材の上流側端部を、読取ガラスの下流側端部に突き当てて、下流側ガイド部材を簡単かつ確実に組み付けることができる。
【００４３】
請求項３に記載の発明では、読取ガラスの読取面上を搬送される原稿の先端が下流側ガイド部材のガイド面に当接して案内されるように段差を設けることで、下流側ガイド部材への原稿の受け渡しが滑らかで安定した搬送が可能で、読取後の搬送衝撃負荷を軽減でき、搬送ムラによる画像揺らぎもなくなる。
【００４４】
請求項４に記載の発明では、請求項１乃至請求項３のいずれか１項に記載の原稿搬送装置を備えることで、読取後の搬送衝撃負荷を軽減でき、搬送ムラによる画像揺らぎもなくなる。また、搬送方向を変えるための部材が不要となり、その分部品点数が削減でき、製作コスト、組付けコストを下げることができる。
【図面の簡単な説明】
【図１】用紙後処理装置と原稿搬送装置と画像読み取り装置を装備した画像形成装置の全体構成図である。
【図２】原稿搬送装置の断面図である。
【図３】読取部の拡大図である。
【図４】読取ガラスと下流側ガイド部材との配置を示す図である。
【図５】従来の原稿搬送装置の断面図である。
【符号の説明】
ＤＦ  原稿搬送装置
１  画像形成装置
１Ａ  画像形成装置本体
２０３  読取部
２０４  排紙部
２５０  読取ガラス
２５２  読取前ローラ
２５３  上流側ガイド部材
２５４  下流側ガイド部材
２５５  読取後ローラ
【図１】
2004210452.tif 000003
【図２】
2004210452.tif 000004
【図３】
2004210452.tif 000005
【図４】
2004210452.tif 000006
【図５】
2004210452.tif 000007